(57)【要約】【課題】利用者が検索画面において選択可能な項目を容易に把握することができ、選択操作の利便性を向上させることが可能な情報検索システム、情報検索方法、及び情報検索プログラムを提供すること。【解決手段】本発明に係る情報検索システムは、それぞれに所定の情報が関連付けられた複数の第１選択対象を第１表示領域に表示させ、それぞれに、前記複数の第１選択対象に関連付けられた前記所定の情報と同一の情報が関連付けられ、前記複数の第１選択対象のそれぞれに対応する複数の第２選択対象を第２表示領域に表示させ、前記複数の第１選択対象を第１方向に並べて表示させ、前記複数の第２選択対象を前記第１方向に並べて表示させ、前記複数の第１選択対象を含む前記第１表示領域の前記第１方向の幅が、前記複数の第２選択対象を含む前記第２表示領域の前記第１方向の幅より狭い。【選択図】図１１
2020135120.tif 000002
【特許請求の範囲】
【請求項１】
それぞれに所定の情報が関連付けられた複数の第１選択対象を第１表示領域に表示させる第１表示処理部と、
それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示処理部と、
を備え、
前記第１表示処理部は、前記複数の第１選択対象を第１方向に並べて表示させ、
前記第２表示処理部は、前記複数の第２選択対象を前記第１方向に並べて表示させ、
前記複数の第１選択対象を含む前記第１表示領域の前記第１方向の幅が、前記複数の第２選択対象を含む前記第２表示領域の前記第１方向の幅より狭い、情報検索システム。
【請求項２】
前記複数の第１選択対象のそれぞれの前記第１方向の幅は、前記複数の第２選択対象のそれぞれの前記第１方向の幅より狭く、
前記第１表示処理部は、前記複数の第１選択対象のそれぞれを互いに隣接するように前記第１方向に並べて表示させ、
前記第２表示処理部は、前記複数の第２選択対象のそれぞれを互いに隣接するように前記第１方向に並べて表示させる、
請求項１に記載の情報検索システム。
【請求項３】
前記第１表示処理部は、前記複数の第１選択対象のうち少なくともいずれか一つが表示画面に収まらない場合に、前記複数の第１選択対象を前記第１方向にスクロール可能に表示させ、
前記第２表示処理部は、前記複数の第２選択対象のうち少なくともいずれかが前記表示画面に収まらない場合に、前記複数の第２選択対象を前記第１方向にスクロール可能に表示させる、
請求項１又は２に記載の情報検索システム。
【請求項４】
前記第１表示処理部は、前記複数の第２選択対象とは独立して前記複数の第１選択対象をスクロールさせ、
前記第２表示処理部は、前記複数の第１選択対象とは独立して前記複数の第２選択対象をスクロールさせる、
請求項１又は２に記載の情報検索システム。
【請求項５】
検索対象を検索する検索処理部と、前記検索処理部による検索結果を出力する出力処理部と、をさらに備え、
前記出力処理部は、前記検索結果に含まれる複数の検索対象を表示画面において前記第１方向とは異なる第２方向に並べて表示させ、
前記第１表示処理部は、前記複数の検索対象のそれぞれについて、前記複数の第１選択対象を前記第１方向に並べて表示させ、
前記第２表示処理部は、前記複数の検索対象のそれぞれについて、前記複数の第２選択対象を前記第１方向に並べて表示させる、
請求項１〜４のいずれかに記載の情報検索システム。
【請求項６】
利用者から前記複数の第１選択対象及び前記複数の第２選択対象に対する選択操作を受け付ける受付処理部と、
前記利用者により前記複数の第１選択対象のうち所定の第１選択対象が選択された場合に、当該所定の第１選択対象に関連付けられた第１情報を前記第２表示領域に提示し、前記利用者により前記複数の第２選択対象のうち所定の第２選択対象が選択された場合に、当該所定の第２選択対象に関連付けられた第２情報を前記第２表示領域に提示する提示処理部と、
をさらに備える請求項１〜５のいずれかに記載の情報検索システム。
【請求項７】
前記利用者により前記複数の第１選択対象のうち前記所定の第１選択対象が選択された場合又は前記複数の第２選択対象のうち前記所定の第２選択対象が選択された場合に、前記第１表示処理部は、前記複数の第１選択対象の前記第１表示領域への表示を維持し、前記第２表示処理部は、前記複数の第２選択対象を前記第２表示領域から削除し、前記提示処理部は、前記第１情報又は前記第２情報を前記第２表示領域に提示する、
請求項６に記載の情報検索システム。
【請求項８】
前記利用者により前記複数の第１選択対象のうち前記所定の第１選択対象が選択された場合又は前記複数の第２選択対象のうち前記所定の第２選択対象が選択された場合に、前記第１表示処理部は、前記第１表示領域において、前記所定の第１選択対象又は前記所定の第２選択対象に対応する第１選択対象の表示態様を変更させる、
請求項６又は７に記載の情報検索システム。
【請求項９】
前記複数の第２選択対象のそれぞれは、前記複数の第１選択対象のうち予め設定された特定選択対象に関連付けられており、
前記第２表示処理部は、利用者により前記特定選択対象が選択された場合に、前記複数の第２選択対象を前記第２表示領域に表示させる、
請求項１〜８のいずれかに記載の情報検索システム。
【請求項１０】
前記第２表示処理部は、前記第２表示領域において、前記複数の第２選択対象のそれぞれに、前記複数の第１選択対象のそれぞれを識別可能な識別情報を表示させる、
請求項１〜９のいずれかに記載の情報検索システム。
【請求項１１】
前記複数の第１選択対象のそれぞれはテキスト情報を含み、前記複数の第２選択対象のそれぞれは前記テキスト情報に対応する画像情報を含む、
請求項１〜１０のいずれかに記載の情報検索システム。
【請求項１２】
それぞれに所定の情報が関連付けられた複数の第１選択対象を第１表示領域に表示させる第１表示ステップと、
それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示ステップと、
を一又は複数のプロセッサにより実行する情報検索方法であって、
前記第１表示ステップにおいて、前記複数の第１選択対象を第１方向に並べて表示させ、
前記第２表示ステップにおいて、前記複数の第２選択対象を前記第１方向に並べて表示させ、
前記複数の第１選択対象を含む前記第１表示領域の前記第１方向の幅が、前記複数の第２選択対象を含む前記第２表示領域の前記第１方向の幅より狭い、情報検索方法。
【請求項１３】
それぞれに所定の情報が関連付けられた複数の第１選択対象を第１表示領域に表示させる第１表示ステップと、
それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示ステップと、
を一又は複数のプロセッサにより実行させるための情報検索プログラムであって、
前記第１表示ステップにおいては、前記複数の第１選択対象を第１方向に並べて表示させ、
前記第２表示ステップにおいては、前記複数の第２選択対象を前記第１方向に並べて表示させ、
前記複数の第１選択対象を含む前記第１表示領域の前記第１方向の幅が、前記複数の第２選択対象を含む前記第２表示領域の前記第１方向の幅より狭い、情報検索プログラム。
【発明の詳細な説明】
【技術分野】
【０００１】
本発明は、検索条件に応じた情報を検索して提示することが可能な情報検索システム、情報検索方法、及び情報検索プログラムに関する。
【背景技術】
【０００２】
一般的に、飲食店などの施設を検索する検索サイト又は予約サイトの検索ページでは、リンクが設定された複数の項目が表示され、利用者が所望の項目を選択すると当該項目に設定されたリンク先の情報が表示される。また、検索ページに表示された選択可能な複数のテキスト項目と、各テキスト項目に対応する選択可能な画像項目とを併記して、利用者がテキスト項目及び画像項目のいずれかを選択した場合に、選択された項目に予め関連付けられた情報を表示するシステムが知られている（例えば特許文献１参照）。
【先行技術文献】
【特許文献】
【０００３】
【特許文献１】特開平１０−３４０１７８号公報
【発明の概要】
【発明が解決しようとする課題】
【０００４】
前記システムでは、同一の情報が関連付けられたテキスト項目及び画像項目が所定の方向に並んで配置される。ここで、一般的に、表示画面において、選択可能な各画像項目はテキスト項目よりも大きく表示されている。このため、選択可能な項目が複数存在する場合、表示画面に表示可能な項目数が少なくなる。この場合、利用者は選択可能な項目を把握し難くなり、選択操作の利便性が悪くなる。
【０００５】
本発明の目的は、利用者が表示画面において選択可能な項目を容易に把握することができ、選択操作の利便性を向上させることが可能な情報検索システム、情報検索方法、及び情報検索プログラムを提供することにある。
【課題を解決するための手段】
【０００６】
本発明の一の形態は、それぞれに所定の情報が関連付けられた複数の第１選択対象を第１表示領域に表示させる第１表示処理部と、それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示処理部と、を備え、前記第１表示処理部は、前記複数の第１選択対象を第１方向に並べて表示させ、前記第２表示処理部は、前記複数の第２選択対象を前記第１方向に並べて表示させ、前記複数の第１選択対象を含む前記第１表示領域の前記第１方向の幅が、前記複数の第２選択対象を含む前記第２表示領域の前記第１方向の幅より狭い、情報検索システムである。
【０００７】
本発明の他の形態は、それぞれに所定の情報が関連付けられた複数の第１選択対象を第１表示領域に表示させる第１表示ステップと、それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示ステップと、を一又は複数のプロセッサにより実行する情報検索方法であって、前記第１表示ステップにおいて、前記複数の第１選択対象を第１方向に並べて表示させ、前記第２表示ステップにおいて、前記複数の第２選択対象を前記第１方向に並べて表示させ、前記複数の第１選択対象を含む前記第１表示領域の前記第１方向の幅が、前記複数の第２選択対象を含む前記第２表示領域の前記第１方向の幅より狭い、情報検索方法である。
【０００８】
本発明の他の形態は、それぞれに所定の情報が関連付けられた複数の第１選択対象を第１表示領域に表示させる第１表示ステップと、それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示ステップと、を一又は複数のプロセッサにより実行させるための情報検索プログラムであって、前記第１表示ステップにおいて、前記複数の第１選択対象を第１方向に並べて表示させ、前記第２表示ステップにおいて、前記複数の第２選択対象を前記第１方向に並べて表示させ、前記複数の第１選択対象を含む前記第１表示領域の前記第１方向の幅が、前記複数の第２選択対象を含む前記第２表示領域の前記第１方向の幅より狭い、情報検索プログラムである。
【発明の効果】
【０００９】
本発明によれば、利用者が検索画面において選択可能な項目を容易に把握することができ、選択操作の利便性を向上させることが可能な情報検索システム、情報検索方法、及び情報検索プログラムが提供される。
【図面の簡単な説明】
【００１０】
【図１】図１は、本発明の実施形態に係る情報検索システムの構成を示すブロック図である。
【図２】図２は、本発明の実施形態に係る情報検索システムで使用される施設情報の一例を示す図である。
【図３】図３は、本発明の実施形態に係る情報検索システムで使用される項目情報の一例を示す図である。
【図４】図４は、本発明の実施形態に係る利用者端末に表示される検索ページの一例を示す図である。
【図５】図５は、本発明の実施形態に係る利用者端末に表示される検索ページの他の例を示す図である。
【図６】図６は、本発明の実施形態に係る利用者端末に表示される検索ページの他の例を示す図である。
【図７】図７は、本発明の実施形態に係る利用者端末に表示される検索ページの他の例を示す図である。
【図８】図８は、本発明の実施形態に係る利用者端末に表示される検索ページの他の例を示す図である。
【図９】図９は、本発明の実施形態に係る利用者端末に表示される検索ページの他の例を示す図である。
【図１０】図１０は、本発明の実施形態に係る利用者端末に表示される検索ページの他の例を示す図である。
【図１１】図１１は、本発明の実施形態に係る利用者端末に表示される検索ページの他の例を示す図である。
【図１２】図１２は、本発明の実施形態に係る情報検索システムで実行される情報検索処理の手順の一例を示すフローチャートである。
【図１３】図１３は、本発明の実施形態に係る利用者端末に表示される検索ページの他の例を示す図である。
【図１４】図１４は、本発明の実施形態に係る利用者端末に表示される検索ページの他の例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
［情報検索システム１００］
図１に示すように、本発明の実施形態に係る情報検索システム１００は、情報検索装置１と一又は複数の利用者端末２とを含む。情報検索装置１及び利用者端末２は、インターネット、ＬＡＮ、ＷＡＮ、又は公衆電話回線などの通信網Ｎ１を介して通信可能である。
【００１３】
情報検索装置１は、情報を検索するための検索条件を利用者端末２から受付可能であり、検索条件に基づく検索処理の検索結果を利用者端末２に提示するための情報処理装置である。以下、本実施形態では、情報検索システム１００において、検索対象が、飲食物を提供する飲食店である場合を例に挙げて説明する。なお、前記検索対象は、例えばホテル、ボーリング場、カラオケルーム、卓球場、又は温泉施設などの各種の施設であってもよいし、小売業者などが販売する商品であってもよい。利用者端末２は、前記検索対象の情報の検索を要求する利用者によって操作される情報処理装置である。
【００１４】
本実施形態では、情報検索装置１単体が本発明に係る情報検索システムに相当するが、本発明に係る情報検索システムは、情報検索装置１及び利用者端末２のうち一又は複数の構成要素を含むものであってもよい。例えば、情報検索装置１及び利用者端末２の構成要素が協働して後述する各種の情報検索処理（図６参照）を分担して実行する場合には、その処理を実行する複数の構成要素を含むシステムを本発明に係る情報検索システムとして捉えることが可能である。例えば、情報検索装置１及び利用者端末２が本発明に係る情報検索システムを構成することが考えられる。
【００１５】
［情報検索装置１］
図１に示されるように、情報検索装置１は、制御部１１、記憶部１２、操作表示部１３、及び通信Ｉ／Ｆ１４などを備えるサーバである。なお、情報検索装置１は、１台のコンピュータに限らず、複数台のコンピュータが協働して動作するコンピュータシステムであってもよい。また、情報検索装置１で実行される各種の処理は、一又は複数のプロセッサによって分散して実行されてもよい。
【００１６】
通信Ｉ／Ｆ１４は、情報検索装置１を有線又は無線で通信網Ｎ１に接続し、通信網Ｎ１を介して利用者端末２などの外部機器との間で所定の通信プロトコルに従ったデータ通信を実行するための通信インターフェースである。
【００１７】
操作表示部１３は、各種の情報を表示する液晶ディスプレイ又は有機ＥＬディスプレイのような表示部と、操作を受け付けるマウス、キーボード、又はタッチパネルのような操作部とを備えるユーザーインターフェースである。
【００１８】
記憶部１２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。具体的に、記憶部１２には、施設情報Ｄ１、項目情報Ｄ２などのデータが記憶される。また、記憶部１２には、地図データ等の他の情報も記憶されている。施設情報Ｄ１は、検索対象の施設に関する情報である。項目情報Ｄ２は、検索結果を含む検索ページＰ１（後述）に表示される、施設に関する複数の項目（タイトル）に関連付けられた情報である。例えば検索ページＰ１に表示される各項目にはリンク（ハイパーリンク）が設定され、任意の項目が選択された場合に、当該項目に関連付けられた項目情報Ｄ２が検索ページに表示される。図２は施設情報Ｄ１の一例を示す図であり、図３は項目情報Ｄ２の一例を示す図である。なお、前記検索対象が商品の場合、記憶部１２には、施設情報Ｄ１に代えて商品情報が記憶される。
【００１９】
図２に示されるように、施設情報Ｄ１には、施設ごとに対応する「施設ＩＤ」、「施設名」、「住所」、「ジャンル」、「予算」、「電話番号」、「予約状況」などの情報が含まれる。「ジャンル」は、施設で提供されるサービスの内容を識別可能な情報であって、例えば料理ジャンルを示す。「予算」は、例えば施設の利用について必要な平均的な金額として予め設定された金額である。「住所」は、施設の詳細な住所であり、当該施設の位置を示す情報として用いられる。「電話番号」は、利用者から施設に連絡する際の情報として用いられる。「予約状況」は、施設の現在の予約状況（満席、空席など）を示し、当該施設の予約処理に用いられる。
【００２０】
項目情報Ｄ２は、施設情報Ｄ１に登録されている施設ごとに関連付けて記憶部１２に記憶される。項目情報Ｄ２には、検索ページＰ１に表示される、施設に関する複数の項目に対応する情報が登録される。例えば図３に示されるように、項目情報Ｄ２には、施設ごとに、「概要」、「席」、「メニュー」、「コース」、「こだわり」、「クーポン」、「新着情報」、「地図・基本情報」などの項目に対応する情報が含まれる。「概要」は、検索ページＰ１に表示される複数の項目を示す情報である。ここでは、「概要」には、項目情報Ｄ２に含まれる「席」、「メニュー」、「コース」、「こだわり」、「クーポン」、「新着情報」、「地図・基本情報」の各項目が登録される。「席」は、施設に配置される利用対象物であるテーブル、個室、カウンター等を識別するための情報である。「メニュー」は、施設で提供されるサービスの内容を識別可能な情報であって、例えば料理名を示す。「コース」は、施設で提供されるサービスの内容を示す情報であって、例えば飲食内容のコース又は飲食内容が限定されない席のみ等の情報である。「こだわり」は、施設の特徴、おすすめ、セールスポイントなどを示す情報である。「クーポン」は、施設の利用代金の割引などの特典を示す情報である。「新着情報」は、施設の最新のニュース情報である。「地図・基本情報」は、施設を含む周辺の地図情報、及び、施設の住所、電話番号、営業時間などの基本情報である。項目情報Ｄ２には、項目ごとに、１又は複数の情報が登録される。
【００２１】
なお、他の実施形態として、施設情報Ｄ１、項目情報Ｄ２などの情報の一部又は全部が、情報検索装置１から通信網Ｎ１を介してアクセス可能な他のサーバに記憶されていてもよい。この場合、情報検索装置１の制御部１１は、前記サーバから前記情報を取得して、後述の情報検索処理（図１２参照）などの各処理を実行してもよい。
【００２２】
また、記憶部１２には、利用者端末２に表示される予約サイトに含まれる検索ページＰ１（後述）、条件設定ページ、予約ページ、経路案内ページなどの各種のウェブページを生成するためのレイアウトデータ及び画像データなども記憶されている。なお、本実施形態において、情報検索装置１の制御部１１は、前記各種のウェブページを生成してそのウェブページの情報を利用者端末２に送信することにより、利用者端末２に前記各種のウェブページを表示させることが可能である。また、他の実施形態として、情報検索装置１の制御部１１は、利用者端末２に前記各種のウェブページを表示するために必要なデータを送信することにより、利用者端末２の制御部２１に前記各種のウェブページの表示を実行させてもよい。
【００２３】
なお、前記予約サイトは、予め設定された一つのドメインに属するウェブページの集合体であってもよいが、例えば同一の情報検索装置１の記憶部１２に記憶された複数のドメインに属するウェブページの集合体を前記予約サイトとして捉えてもよい。また、前記予約サイトに含まれる各種のページは、複数のサーバに分散して記憶されたものであってもよい。
【００２４】
さらに、記憶部１２には、制御部１１に後述の情報検索処理（図１２参照）を実行させるための情報検索プログラムなどの制御プログラムが記憶されている。例えば、前記情報検索プログラムは、ＣＤ又はＤＶＤなどのコンピュータ読取可能な記録媒体に非一時的に記録されており、情報検索装置１が備えるＣＤドライブ又はＤＶＤドライブなどの読取装置（不図示）で読み取られて記憶部１２に記憶される。
【００２５】
制御部１１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部１１は、前記ＲＯＭ又は記憶部１２に予め記憶された各種の制御プログラムを前記ＣＰＵで実行することにより情報検索装置１を制御する。
【００２６】
ところで、従来のシステムでは、検索ページにおいて、利用者が選択可能な各画像項目（アイコン画像）が大きく表示されている。このため、複数の項目（タイトル）が存在する場合、検索ページに表示可能な項目数が少なくなるため、利用者は選択可能な項目を把握し難くなり、選択操作の利便性が悪くなる。これに対して、本実施形態に係る情報検索システム１００では、以下で説明するように、利用者が表示画面において選択可能な項目を容易に把握することができ、選択操作の利便性を向上させることが可能である。
【００２７】
具体的に、制御部１１は、図１に示されるように、受付処理部１１１、検索処理部１１２、出力処理部１１３、第１表示処理部１１４、第２表示処理部１１５、及び提示処理部１１６などの各種の処理部を含む。なお、制御部１１は、前記ＣＰＵで前記情報検索プログラムに従った各種の処理を実行することによって前記各種の処理部として機能する。また、一部又は全部の前記処理部が電子回路で構成されていてもよい。なお、前記情報検索プログラムは、複数のプロセッサを前記処理部として機能させるためのプログラムであってもよい。
【００２８】
受付処理部１１１は、利用者端末２から施設の検索要求を受け付ける。具体的には、受付処理部１１１は、利用者端末２に表示される予約サイトの条件設定ページにおいて利用者により入力される料理ジャンル、住所（エリア）等などの検索条件を受け付ける。
【００２９】
検索処理部１１２は、受付処理部１１１により前記検索要求が受け付けられた場合に施設を検索するための検索処理を実行する。検索処理部１１２は、本発明の検索処理部の一例である。具体的に、検索処理部１１２は、前記検索処理において、施設情報Ｄ１（図２参照）から前記検索条件を満たす施設を検索する。検索条件が変更された場合は、検索処理部１１２は、変更後の検索条件に基づいて再検索処理を実行する。
【００３０】
出力処理部１１３は、検索処理部１１２による検索結果を出力する。出力処理部１１３は、本発明の出力処理部の一例である。具体的に、出力処理部１１３は、前記検索結果を利用者端末２に送信することにより、当該検索結果に対応する検索ページＰ１を利用者端末２に表示させる。これにより、利用者は、利用者端末２において、前記検索結果を閲覧することが可能となる。また、利用者は、利用者端末２において、前記検索結果である検索ページＰ１に表示される施設から予約対象となる施設を選択することが可能である。
【００３１】
ここで、前記検索結果に複数の施設が含まれる場合、すなわち前記検索条件を満たす施設が複数検索された場合、出力処理部１１３は、図４に示すように、検索ページＰ１において、複数の施設の情報を所定の方向に並べて表示させる。ここでは、検索ページＰ１において、飲食店Ａ，Ｂ，ＣがＹ方向に並んで配置されている。Ｙ方向は、本発明の第２方向の一例である。なお、出力処理部１１３は、前記検索結果に含まれる複数の施設のうち少なくともいずれか一つが利用者端末２の表示画面に収まらない場合に、検索ページＰ１において、複数の施設の情報を複数の施設が並ぶ方向（Ｙ方向）にスクロール可能に表示させる。
【００３２】
また出力処理部１１３は、前記検索結果に含まれる各施設に関する所定の情報、例えば基本情報（施設名、ジャンル、予算、住所など）を検索ページＰ１の表示領域Ｒ０に表示させる。
【００３３】
第１表示処理部１１４は、前記検索結果に対応する検索ページＰ１において、施設の詳細情報を表示するための複数の項目（タイトル）のそれぞれに対応する複数のタブＫ１を表示させる。複数のタブＫ１により一つのタイトルバーが構成される。図４に示すように、第１表示処理部１１４は、タイトルバーを構成する複数のタブＫ１を検索ページＰ１の表示領域Ｒ１に表示させる。タブＫ１は、本発明の第１選択対象の一例であり、表示領域Ｒ１は、本発明の第１表示領域の一例である。
【００３４】
各項目はカテゴリーごとに分類されており、各タブＫ１には、各項目を識別可能な情報として、例えば項目名のテキスト情報（文字）が表示される。例えば、第１表示処理部１１４は、検索ページＰ１において、「概要」、「席」、「メニュー」、「コース」、「こだわり」、「クーポン」、「新着情報」、「地図・基本情報」のタブＫ１を表示させる。また第１表示処理部１１４は、各タブＫ１に、各タブＫ１に対応する前記項目に関連付けられた項目情報Ｄ２をリンク先としたリンクを設定する。これにより、利用者が利用者端末２に表示された検索ページＰ１において、例えば「コース」のタブＫ１を選択した場合、「コース」に関連付けられた情報である「コース１」、「コース２」、「席のみ」の情報（テキスト情報、画像情報など）が検索ページＰ１の表示領域Ｒ２に表示される（図９参照）。
【００３５】
また、第１表示処理部１１４は、検索ページＰ１において、複数のタブＫ１を、前記複数の施設の情報が並ぶ方向とは異なる方向に並べて表示させる。具体的には、第１表示処理部１１４は、図４に示すように、検索ページＰ１において、複数のタブＫ１を前記複数の施設の情報が並ぶＹ方向に直交するＸ方向に並べて表示させる。Ｘ方向は、本発明の第１方向の一例である。
【００３６】
さらに、第１表示処理部１１４は、複数のタブＫ１のうち少なくともいずれか一つが利用者端末２の表示画面に収まらない場合に、検索ページＰ１において、複数のタブＫ１を複数のタブＫ１が並ぶ方向（Ｘ方向）にスクロール可能に表示させる。これにより、利用者端末２に表示された検索ページＰ１において、例えば利用者が指でタブＫ１をタッチしてスライドさせるスワイプ操作を行うと、複数のタブＫ１がスクロール（移動）して、表示画面に収まっていなかった１又は複数のタブＫ１が表示画面に表示されるようになる。例えば、図５に示す利用者端末２に表示された検索ページＰ１において、利用者が指でタブＫ１をＸ１方向にスワイプ操作すると、図６に示すように、複数のタブＫ１がスクロールし、表示画面に収まっていなかった「新着情報」及び「地図・基本情報」のタブＫ１が表示画面に表示される。
【００３７】
第２表示処理部１１５は、前記検索結果に対応する検索ページＰ１において、施設の詳細情報を表示するための複数の項目（タイトル）のそれぞれに対応する複数のアイコンＫ２を表示させる。図４に示すように、第２表示処理部１１５は、複数のアイコンＫ２を検索ページＰ１の表示領域Ｒ２に表示させる。表示領域Ｒ１，Ｒ２は、検索ページＰ１において互いに独立して設けられる。ここでは、表示領域Ｒ１，Ｒ２は、検索ページＰ１において、Ｙ方向に並べて配置される。アイコンＫ２は、本発明の第２選択対象の一例であり、表示領域Ｒ２は、本発明の第２表示領域の一例である。各項目はカテゴリーごとに分類されており、各アイコンＫ２には、各項目を識別可能な情報（識別情報）として、例えば項目に対応する画像、記号、図形などの情報が表示される。なお、各アイコンＫ２に、タブＫ１と同一のテキスト情報Ｋ２１（図４参照）が付加されてもよい。例えば、第２表示処理部１１５は、検索ページＰ１において、「席画像」、「メニュー画像」、「コース画像」、「こだわり画像」、「クーポン画像」、「新着情報画像」、「地図・基本情報画像」のアイコンＫ２を表示させる。また第２表示処理部１１５は、各アイコンＫ２に、各アイコンＫ２に対応する前記項目に関連付けられた項目情報Ｄ２をリンク先としたリンクを設定する。これにより、利用者が利用者端末２に表示された検索ページＰ１において、例えば「コース」のアイコンＫ２を選択した場合、「コース」に関連付けられた情報である「コース１」、「コース２」、「席のみ」の情報（テキスト情報、画像情報など）が検索ページＰ１の表示領域Ｒ２に表示される（図９参照）。すなわち、利用者がタブＫ１を選択した場合とアイコンＫ２を選択した場合とで、同一の情報が検索ページＰ１の表示領域Ｒ２に表示される。
【００３８】
ここで、表示領域Ｒ２に表示される複数のアイコンＫ２は、複数のタブＫ１のうち予め設定された特定のタブＫ１（０）に関連付けられている。例えば、「席画像」、「メニュー画像」、「コース画像」、「こだわり画像」、「クーポン画像」、「新着情報画像」、「地図・基本情報画像」のアイコンＫ２は、特定のタブＫ１（０）である「概要」に関連付けられている。これにより、第２表示処理部１１５は、検索ページＰ１において利用者によりタブＫ１（０）が選択された場合に、前記各アイコンＫ２を検索ページＰ１の表示領域Ｒ２に表示させる。
【００３９】
特定のタブＫ１（０）は、表示領域Ｒ１において、表示位置が変更されない態様で表示される。すなわち、複数のタブＫ１がスクロール可能に構成されている場合であっても、タブＫ１（０）はスクロールせず、所定の位置に固定して表示される。例えば、図５に示す検索ページＰ１において、利用者が複数のタブＫ１をＸ１方向にスワイプ操作した場合、図６に示すように、「概要」のタブＫ１（０）は左端に固定され、その他の複数のタブＫ１がＸ１方向にスクロールする。タブＫ１（０）は、本発明の特定選択対象の一例である。
【００４０】
また、第２表示処理部１１５は、検索ページＰ１において、複数のアイコンＫ２を、前記複数の施設の情報が並ぶ方向とは異なる方向に表示させる。具体的には、第２表示処理部１１５は、図４に示すように、検索ページＰ１において、複数のアイコンＫ２を前記複数の施設の情報が並ぶＹ方向に直交するＸ方向に並べて表示させる。すなわち、第２表示処理部１１５は、複数のアイコンＫ２を、複数のタブＫ１と同一方向に並べて表示させる。このように、第１表示処理部１１４及び第２表示処理部１１５は、複数のタブＫ１及び複数のアイコンＫ２を同一方向に併記（二段併記）して検索ページＰ１に表示させる。
【００４１】
さらに、第２表示処理部１１５は、複数のアイコンＫ２のうち少なくともいずれか一つが利用者端末２の表示画面に収まらない場合に、検索ページＰ１において、複数のアイコンＫ２を複数のアイコンＫ２が並ぶ方向（Ｘ方向）にスクロール可能に表示させる。これにより、利用者端末２に表示された検索ページＰ１において、例えば利用者が指でアイコンＫ２をタッチしてスライドさせるスワイプ操作を行うと、複数のアイコンＫ２が移動し、表示画面に収まっていなかった１又は複数のアイコンＫ２が表示画面に表示されるようになる。例えば、図７に示す利用者端末２に表示された検索ページＰ１において、利用者が指でアイコンＫ２をＸ１方向にスワイプ操作すると、図８に示すように、複数のアイコンＫ２が移動して、表示画面に収まっていなかった「クーポン画像」、「新着情報画像」及び「地図画像・基本情報画像」のアイコンＫ２が表示画面に表示されるようになる。
【００４２】
ここで、第１表示処理部１１４は、表示領域Ｒ１において複数のタブＫ１を複数のアイコンＫ２とは独立してスクロールさせることが可能であり、第２表示処理部１１５は、表示領域Ｒ２において複数のアイコンＫ２を複数のタブＫ１とは独立してスクロールさせることが可能である。このため、図６及び図８に示すように、検索ページＰ１において、タブＫ１及びアイコンＫ２は、連動して移動（スクロール）せず、互いに独立して移動することが可能である。
【００４３】
ここで、図１１を用いて、検索ページＰ１に表示されるタブＫ１及びアイコンＫ２の構成について説明する。図１１は、前記検索結果に含まれる施設に対応する全てのタブＫ１及び全てのアイコンＫ２が、検索ページＰ１を表示する利用者端末２の表示画面に収まっている状態を示している。本実施形態において、各タブＫ１のＸ方向の幅は、各アイコンＫ２のＸ方向の幅より狭くなっている。例えば、同一の項目に対応する「クーポン」のタブＫ１及びアイコンＫ２について、タブＫ１のＸ方向の幅Ｗ１１は、アイコンＫ２のＸ方向の幅Ｗ２１より狭くなっている。また、各タブＫ１のＹ方向の高さＨ１１は、各アイコンＫ２のＹ方向の高さＨ２１より低くなっている。
【００４４】
さらに、全てのタブＫ１の幅を合計した幅Ｗ１、すなわち全てのタブＫ１を含む表示領域Ｒ１の幅Ｗ１は、全てのアイコンＫ２の幅を合計した幅Ｗ２、すなわち全てのアイコンＫ２を含む表示領域Ｒ２の幅Ｗ２より狭くなっている。第１表示処理部１１４は、例えば複数のタブＫ１のそれぞれを、隙間なく互いに隣接するようにＸ方向に並べて表示させる。なお、本実施形態では、Ｗ１＜Ｗ２の関係式を満たせばよく、隣り合うタブＫ１の間に所定の隙間が設けられてもよい。この構成によれば、図４に示すように、１又は複数のアイコンＫ２が表示画面に収まらない場合であっても、検索ページＰ１において、アイコンＫ２の数より多くのタブＫ１が表示画面に表示されるため、利用者は表示画面に収まらないアイコンＫ２と同一の項目に対応するタブＫ１を選択することが可能となる。例えば、図４に示す検索ページＰ１において、利用者は表示画面に表示されていない「クーポン画像」のアイコンＫ２と同一の項目に対応する「クーポン」のタブＫ１を選択することができる。
【００４５】
提示処理部１１６は、利用者端末２に表示された検索ページＰ１において、利用者により選択されたタブＫ１又はアイコンＫ２に対応する項目に関連付けられた項目情報Ｄ２を検索ページＰ１の表示領域Ｒ２に提示する。例えば、検索ページＰ１（図４参照）において利用者により「コース」のタブＫ１又はアイコンＫ２が選択された場合、提示処理部１１６は、図９に示すように、「コース」に関連付けられた項目情報Ｄ２である「コース１」、「コース２」、及び「席のみ」の情報（図３参照）（本発明の第１情報又は第２情報の一例）を表示領域Ｒ２に提示する。また検索ページＰ１（図４参照）において利用者により「席」のタブＫ１又はアイコンＫ２が選択された場合、提示処理部１１６は、図１０に示すように、「席」に関連付けられた項目情報Ｄ２である「席１」、「席２」、及び「席３」の情報（図３参照）を表示領域Ｒ２に提示する。このように、提示処理部１１６は、タブＫ１及びアイコンＫ２のそれぞれに対応する項目が同一である場合には、タブＫ１及びアイコンＫ２のうちいずれが選択されても、同一の項目情報Ｄ２を提示する。
【００４６】
ここで、利用者端末２に表示された検索ページＰ１において利用者によりタブＫ１又はアイコンＫ２が選択された場合に、第１表示処理部１１４は、複数のタブＫ１の表示領域Ｒ１への表示を維持する（図９、図１０参照）。またこの場合、第１表示処理部１１４は、さらに、表示領域Ｒ１において、選択されたタブＫ１、又は、選択されたアイコンＫ２の項目に対応するタブＫ１の表示態様を変更させる。例えば、第１表示処理部１１４は、図９に示すように「コース」のタブＫ１のテキスト情報に下線Ｆ１を表示させてもよいし、当該タブＫ１の文字色又は背景色を変更させてもよい。
【００４７】
また、利用者端末２に表示された検索ページＰ１において利用者によりタブＫ１又はアイコンＫ２が選択された場合に、第２表示処理部１１５は、複数のアイコンＫ２を表示領域Ｒ２から削除し、提示処理部１１６は、選択されたタブＫ１又はアイコンＫ２に対応する項目に関連付けられた項目情報Ｄ２を表示領域Ｒ２に提示する。
【００４８】
このように、表示領域Ｒ２に項目情報Ｄ２が提示された場合であっても、表示領域Ｒ１には各項目に対応する複数のタブＫ１が表示され続けるため、利用者は、図９に示す表示画面においてさらに所望のタブＫ１を選択して、表示領域Ｒ２の情報を更新することができる。また、表示領域Ｒ１には、「席画像」、「メニュー画像」、「コース画像」、「こだわり画像」、「クーポン画像」、「新着情報画像」、「地図・基本情報画像」の各アイコンＫ２が関連付けられたタブＫ１（０）が含まれるため、利用者が図９に示す表示画面においてタブＫ１（０）を選択した場合には、前記各アイコンＫ２が表示領域Ｒ２に表示される。これにより、図４に示す表示画面に迅速に戻すことができる。
【００４９】
ここで、項目情報Ｄ２が表示された検索ページＰ１において、さらに、項目情報Ｄ２に、利用者が選択可能な情報が含まれてもよい。例えば図９に示す検索ページＰ１の表示領域Ｒ２には、各「コース」に対応する選択キーＫ３、「空席確認」に対応する選択キーＫ４、「コース一覧」に対応する選択キーＫ５が表示される。各選択キーには、詳細情報が関連付けられており、利用者が所望の選択キーを選択した場合には、提示処理部１１６は、選択された選択キーに関連付けられた詳細情報を表示領域Ｒ２に提示する。例えば、利用者により選択キーＫ４が選択された場合、提示処理部１１６は、予約の受け付けが可能な予約状況を示す受付画面を表示領域Ｒ２に提示する。前記詳細情報は、項目情報Ｄ２に関連付けられて記憶部１２に記憶されてもよい。なお、表示領域Ｒ２に前記詳細情報が提示された場合であっても、第１表示処理部１１４は、表示領域Ｒ１において、各項目に対応する複数のタブＫ１の表示を維持する。
【００５０】
なお、本実施形態では、検索ページＰ１において、検索された施設ごとに表示領域Ｒ０，Ｒ１，Ｒ２が設けられて前記各情報が表示される。また、検索ページＰ１において、施設ごとに、表示領域Ｒ１，Ｒ２において、第１表示処理部１１４及び第２表示処理部１１５による前記表示処理と、提示処理部１１６による前記提示処理とが個別に実行される。
【００５１】
［利用者端末２］
図１に示されるように、利用者端末２は、制御部２１、記憶部２２、操作表示部２３、及び通信Ｉ／Ｆ２４などを備える。利用者端末２は、例えば携帯電話、スマートフォン、タブレット端末、又はパーソナルコンピュータのような情報処理装置である。
【００５２】
通信Ｉ／Ｆ２４は、利用者端末２を有線又は無線で通信網Ｎ１に接続し、通信網Ｎ１を介して情報検索装置１などの外部機器との間で所定の通信プロトコルに従ったデータ通信を実行するための通信インターフェースである。
【００５３】
操作表示部２３は、各種のウェブページなどの情報を表示する液晶ディスプレイ又は有機ＥＬディスプレイのような表示部と、操作を受け付けるマウス、キーボード、又はタッチパネルのような操作部とを備えるユーザーインターフェースである。
【００５４】
記憶部２２は、各種の情報を記憶するＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）又はフラッシュメモリーなどの不揮発性の記憶部である。例えば、記憶部２２には、ブラウザプログラム等の制御プログラムが記憶される。具体的に、前記ブラウザプログラムは、ＨＴＴＰ（Ｈｙｐｅｒｔｅｘｔ  Ｔｒａｎｓｆｅｒ  Ｐｒｏｔｏｃｏｌ）等の通信プロトコルに従って情報検索装置１等の外部装置との間で通信処理を制御部２１に実行させるための制御プログラムである。また、前記ブラウザプログラムは、情報検索装置１との間で予め定められた通信プロトコルに従って通信処理を実行するための専用アプリケーションであることも考えられる。なお、記憶部２２には、地図データ等の他の情報が記憶されていてもよい。
【００５５】
制御部２１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより利用者端末２を制御する。
【００５６】
具体的に、制御部２１は、記憶部２２に記憶されている前記ブラウザプログラムに従って各種の処理を実行することによりブラウザ処理部２１１として機能する。ブラウザ処理部２１１は、情報検索装置１から通信網Ｎ１を介して提供されるウェブページを操作表示部２３に表示させ、操作表示部２３に対する操作を情報検索装置１に入力するブラウザ処理を実行することが可能である。即ち、利用者端末２は、制御部２１によって前記ブラウザプログラムが実行されることにより、情報検索装置１の操作用端末として機能することが可能である。なお、制御部２１に含まれる一部又は全部の処理部は電子回路で構成されていてもよい。
【００５７】
例えば、利用者端末２では、情報検索システム１００で提供される予約サイトに対応する所定のＵＲＬへのアクセス要求を行うためのユーザー操作が行われた場合に、制御部２１が、情報検索装置１から前記予約サイトのウェブページのデータを取得して、操作表示部２３に予約サイトのウェブページを表示させる。なお、例えば前記所定のＵＲＬへのアクセス要求は、予め登録されたウェブサイトの一覧からの選択操作、情報検索サイトにおける検索結果からの選択操作、又はテキスト入力操作などによって行われる。また、利用者端末２に情報検索装置１に対応する専用アプリケーションがインストールされている場合には、利用者端末２の利用者が当該専用アプリケーションを起動する操作を行うことにより操作表示部２３に予約サイトのウェブページが表示される。そして、利用者は、利用者端末２を操作することにより、予約サイトにおいて所望の検索条件に合致する施設を検索し、その検索結果を閲覧することができる。さらに利用者は、検索結果として提示された施設の中から所望の施設を選択して予約の申し込みを行うことができる。
【００５８】
［情報検索処理］
以下、図１２を参照しつつ、情報検索システム１００において実行される情報検索処理について説明する。具体的に、本実施形態では、情報検索装置１の制御部１１によって前記情報検索処理が実行される。また、制御部１１は、利用者端末２各々からのアクセスに応じて利用者端末２各々に対応して情報検索処理を並行して実行することが可能である。なお、制御部１１は、利用者端末２の所定の操作によって情報検索処理を途中で終了することがある。
【００５９】
なお、本発明は、前記情報検索処理に含まれる一又は複数のステップを実行する情報検索方法の発明として捉えることができる。また、ここで説明する前記情報検索処理に含まれる一又は複数のステップは適宜省略されてもよい。なお、前記情報検索処理における各ステップは同様の作用効果を生じる範囲で実行順序が異なってもよい。さらに、ここでは制御部１１によって前記情報検索処理における各ステップが実行される場合を例に挙げて説明するが、複数のプロセッサによって当該情報検索処理における各ステップが分散して実行される情報検索方法も他の実施形態として考えられる。
【００６０】
先ず、ステップＳ１１において、制御部１１は、利用者端末２から施設の検索要求を受け付ける。具体的には、制御部１１は、利用者端末２に表示される予約サイト（例えば、飲食店予約サイト）の条件設定ページにおいて利用者により入力される料理ジャンル、住所（エリア）等などの検索条件を受け付ける。
【００６１】
次にステップＳ１２において、制御部１１は、検索処理を実行する。具体的に、制御部１１は、施設情報Ｄ１（図２参照）から前記検索条件を満たす施設を検索する。
【００６２】
次にステップＳ１３において、制御部１１は、前記検索処理の検索結果を出力する。具体的に、制御部１１は、前記検索結果を利用者端末２に送信することにより、当該検索結果に対応する検索ページＰ１を利用者端末２に表示させる。これにより、利用者端末２には、例えば図４に示すように、前記検索結果である検索ページＰ１が表示される。前記検索条件を満たす施設が複数検索された場合、検索ページＰ１には、複数の施設が所定の方向（Ｙ方向）に並べられて表示される。図４に示す例では、前記検索処理により３０件の施設が検索され、その内の２０件が第１ページにおいて上下方向にスクロール可能に表示され、残りの１０件が第２ページにおいて上下方向にスクロール可能に表示される。第１ページ及び第２ページの切り替えは、ページ切り替えボタン（不図示）が選択されることにより行われる。
【００６３】
次にステップＳ１４において、制御部１１は、検索ページＰ１の表示領域Ｒ１において、複数のタブＫ１をＸ方向に並べて表示させる。また制御部１１は、複数のタブＫ１のうち少なくともいずれか一つが利用者端末２の表示画面に収まらない場合に、検索ページＰ１において、複数のタブＫ１をＸ方向にスクロール可能に表示させる。例えば図５に示すように、検索ページＰ１において、利用者が指でタブＫ１をＸ１方向にスワイプ操作すると、複数のタブＫ１がＸ１方向にスクロールし、表示画面に収まっていなかったタブＫ１が表示画面に表示される（図６参照）。また図６に示す検索ページＰ１において、利用者が指でタブＫ１をＸ１方向とは逆方向にスワイプ操作すると、複数のタブＫ１が逆方向にスクロールする。制御部１１は、利用者によるスワイプ操作における指の移動距離に応じて複数のタブＫ１のスクロールを停止させる。
【００６４】
次にステップＳ１５において、制御部１１は、検索ページＰ１の表示領域Ｒ２において、複数のアイコンＫ２をＸ方向に並べて表示させる。また制御部１１は、複数のアイコンＫ２のうち少なくともいずれか一つが利用者端末２の表示画面に収まらない場合に、検索ページＰ１において、複数のアイコンＫ２をＸ方向にスクロール可能に表示させる。例えば図７に示すように、検索ページＰ１において、利用者が指でアイコンＫ２をＸ１方向にスワイプ操作すると、複数のアイコンＫ２がＸ１方向にスクロールし、表示画面に収まっていなかったアイコンＫ２が表示画面に表示される（図８参照）。また図８に示す検索ページＰ１において、利用者が指でアイコンＫ２をＸ１方向とは逆方向にスワイプ操作すると、複数のアイコンＫ２が逆方向にスクロールする。制御部１１は、利用者によるスワイプ操作における指の移動距離に応じて複数のアイコンＫ２のスクロールを停止させる。
【００６５】
検索ページＰ１において、表示領域Ｒ１，Ｒ２は互いに独立して設けられ、複数のタブＫ１及び複数のアイコンＫ２はそれぞれ、同一方向（Ｘ方向）に並べられて配置され、互いに併記されて表示され、かつ互いに独立してＸ方向にスクロール可能に表示される。
【００６６】
また、タブＫ１及びアイコンＫ２には互いに同一の項目の項目情報Ｄ２が関連付けられる。例えば、「席」のタブＫ１及び「席画像」のアイコンＫ２には、同一の項目（「席」）の項目情報Ｄ２（「席１」、「席２」、及び「席３」）（図３参照）が関連付けられる（リンク設定される）。このため、利用者は、タブＫ１及びアイコンＫ２のいずれを選択しても同一の情報を閲覧することが可能である。
【００６７】
ここで、制御部１１は、各タブＫ１のＸ方向の幅が、各アイコンＫ２のＸ方向の幅より狭くなるように表示させる（図１１参照）。また制御部１１は、全てのタブＫ１の幅を合計した幅Ｗ１、すなわち全てのタブＫ１を含む表示領域Ｒ１の幅Ｗ１が、全てのアイコンＫ２の幅を合計した幅Ｗ２、すなわち全てのアイコンＫ２を含む表示領域Ｒ２の幅Ｗ２より狭くなるように表示させる。
【００６８】
次にステップＳ１６において、制御部１１は、利用者によりタブＫ１又はアイコンＫ２が選択されたか否かを判定する。利用者によりタブＫ１又はアイコンＫ２が選択された場合（Ｓ１６：ＹＥＳ）、処理はステップＳ１７に移行する。
【００６９】
利用者によりタブＫ１又はアイコンＫ２が選択されない場合（Ｓ１６：ＮＯ）、ステップＳ１６１において、制御部１１は、利用者から検索条件の変更を受け付けたか否かを判定する。制御部１１が利用者から検索条件の変更を受け付けた場合（Ｓ１６１：ＹＥＳ）、処理はステップＳ１２に戻り、制御部１１は、新たな検索条件に基づいて検索処理を実行する。制御部１１が利用者から検索条件の変更を受け付けない場合（Ｓ１６１：ＮＯ）、処理はステップＳ１６に戻る。このように、制御部１１は、検索ページＰ１において、利用者から、タブＫ１又はアイコンＫ２の選択操作、検索条件の変更操作などを受け付ける。
【００７０】
ステップＳ１７において、制御部１１は、選択されたタブＫ１又はアイコンＫ２に対応する項目に関連付けられた項目情報Ｄ２を検索ページＰ１の表示領域Ｒ２に提示する。例えば、検索ページＰ１（図４参照）において利用者により「コース」のタブＫ１又はアイコンＫ２が選択された場合、制御部１１は、図９に示すように、「コース」に関連付けられた項目情報Ｄ２である「コース１」、「コース２」、及び「席のみ」の情報（図３参照）を表示領域Ｒ２に提示する。制御部１１は、以上のようにして前記情報検索処理を実行する。
【００７１】
ここで、項目情報Ｄ２が提示された検索ページＰ１（図９参照）の表示領域Ｒ２において、利用者によりスワイプ操作が行われた場合、制御部１１は、表示領域Ｒ１の選択済みのタブＫ１を切り替えるとともに、切り替えられたタブＫ１に対応する項目に関連付けられた項目情報Ｄ２を表示領域Ｒ２に提示する。例えば図９に示す検索ページＰ１の表示領域Ｒ２おいて、利用者が任意の位置で左方向にスワイプ操作した場合、制御部１１は、図１３に示すように、選択済みの「コース」のタブＫ１を非選択の状態にし、右隣の「こだわり」のタブＫ１を選択状態に切り替えるとともに、選択された「こだわり」の項目に関連付けられた項目情報Ｄ２の「こだわり１」、「こだわり２」、及び「こだわり３」を表示領域Ｒ２に提示する。このように、利用者は、表示領域Ｒ２に項目情報Ｄ２が提示された表示画面においても、項目を切り替えることが可能である。なお、図９に示す検索ページＰ１の表示領域Ｒ１おいて、利用者が「こだわり」のタブＫ１を選択した場合にも、制御部１１は、上記と同様の処理を実行して、図１３に示す表示画面を表示させる。
【００７２】
なお、検索ページＰ１に提示された項目情報Ｄ２において、利用者により施設を予約するための操作が行われた場合には、制御部１１は、当該施設の予約処理を実行する。また、検索ページＰ１において、利用者により検索条件を変更する操作が行われた場合には、制御部１１は、ステップＳ１２に戻り、新たな検索条件に基づいて検索処理を実行する。
【００７３】
以上説明したように、本実施形態に係る情報検索装置１は、検索結果の検索ページＰ１において、並列して設けられる表示領域Ｒ１，Ｒ２のそれぞれに、互いに同一の項目の情報が関連付けられたタブＫ１及びアイコンＫ２がそれぞれ同一方向に複数並んで表示される。また複数のタブＫ１及び複数のアイコンＫ２は、それぞれ独立して同一方向にスクロール可能に表示される。このため、利用者はタブＫ１及びアイコンＫ２のいずれかを選択することにより同一の情報を閲覧することができる。また、項目数が多く一部のアイコンＫ２が表示画面に収まらない場合であっても、利用者は当該一部のアイコンＫ２と同一の項目に対応するタブＫ１を選択することにより、当該項目に対応する情報を閲覧することが可能となる。よって、利用者が検索画面（検索ページＰ１）において選択可能な項目を容易に把握することができ、選択操作の利便性を向上させることが可能となる。
【００７４】
また、タブＫ１及びアイコンＫ２には同一の項目の情報が関連付けられるため、利用者は、タブＫ１及びアイコンＫ２のいずれかを選択することにより所望の項目の情報（項目情報Ｄ２）を閲覧することが可能であり、またタブＫ１は表示領域Ｒ１に表示され続けるため、項目情報Ｄ２が表示領域Ｒ２に表示されている状態（図９参照）であっても、利用者はタブＫ１を選択することにより項目を切り替えることが可能である。従って、項目の切り替えに伴う表示画面の遷移回数などが抑制され、通信トラフィックの低減、及びコンピュータリソースの有効利用が可能となる。
【００７５】
本発明の情報検索システムは、上述の実施形態に限定されない。他の実施形態として、例えば図１４に示すように、表示領域Ｒ１において特定のタブＫ１（０）（図４参照）が省略されてもよい。すなわち、複数のタブＫ１に、特定のタブＫ１（０）が含まれていなくてもよい。この場合、図１４に示す表示画面に遷移させるための選択キーＫ０（「概要」ボタン）を表示領域Ｒ０に表示させてもよい。
【００７６】
また他の実施形態として、タブＫ１及びアイコンＫ２が、所定の条件を満たす場合に、互いに連動してスクロール可能に表示させてもよい。例えば、タブＫ１及びアイコンＫ２の少なくともいずれか一方がＸ方向にスクロールして、同一の項目に対応するタブＫ１及びアイコンＫ２がＹ方向に並んだ場合に、その後にスクロールする際にはタブＫ１及びアイコンＫ２を互いに連動させてＸ方向にスクロールさせる。またこの場合、タブＫ１及びアイコンＫ２のいずれか一方が端部までスクロールした場合に、スクロールの連動が解除させてもよい。
【符号の説明】
【００７７】
１      ：情報検索装置
１１    ：制御部
１２    ：記憶部
１３    ：操作表示部
１４    ：通信Ｉ／Ｆ
２１    ：制御部
２２    ：記憶部
２３    ：操作表示部
２４    ：通信Ｉ／Ｆ
１００  ：情報検索システム
１１１  ：受付処理部
１１２  ：検索処理部
１１３  ：出力処理部
１１４  ：第１表示処理部
１１５  ：第２表示処理部
１１６  ：提示処理部
２１１  ：ブラウザ処理部
【図１】
2020135120.tif 000003
【図２】
2020135120.tif 000004
【図３】
2020135120.tif 000005
【図４】
2020135120.tif 000006
【図５】
2020135120.tif 000007
【図６】
2020135120.tif 000008
【図７】
2020135120.tif 000009
【図８】
2020135120.tif 000010
【図９】
2020135120.tif 000011
【図１０】
2020135120.tif 000012
【図１１】
2020135120.tif 000013
【図１２】
2020135120.tif 000014
【図１３】
2020135120.tif 000015
【図１４】
2020135120.tif 000016
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
それぞれに所定の情報が関連付けられた複数の第１選択対象を第１表示領域に表示させる第１表示処理部と、
それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示処理部と、
を備え、
前記第１表示処理部は、前記複数の第１選択対象を第１方向に並べて表示させ、
前記第２表示処理部は、前記複数の第２選択対象を前記第１方向に並べて表示させ、
前記複数の第１選択対象を含む前記第１表示領域の前記第１方向の幅が、前記複数の第２選択対象を含む前記第２表示領域の前記第１方向の幅より狭い、情報検索システム。
【請求項２】
前記複数の第１選択対象のそれぞれの前記第１方向の幅は、前記複数の第２選択対象のそれぞれの前記第１方向の幅より狭く、
前記第１表示処理部は、前記複数の第１選択対象のそれぞれを互いに隣接するように前記第１方向に並べて表示させ、
前記第２表示処理部は、前記複数の第２選択対象のそれぞれを互いに隣接するように前記第１方向に並べて表示させる、
請求項１に記載の情報検索システム。
【請求項３】
前記第１表示処理部は、前記複数の第１選択対象のうち少なくともいずれか一つが表示画面に収まらない場合に、前記複数の第１選択対象を前記第１方向にスクロール可能に表示させ、
前記第２表示処理部は、前記複数の第２選択対象のうち少なくともいずれかが前記表示画面に収まらない場合に、前記複数の第２選択対象を前記第１方向にスクロール可能に表示させる、
請求項１又は２に記載の情報検索システム。
【請求項４】
前記第１表示処理部は、前記複数の第２選択対象とは独立して前記複数の第１選択対象をスクロールさせ、
前記第２表示処理部は、前記複数の第１選択対象とは独立して前記複数の第２選択対象をスクロールさせる、
請求項１又は２に記載の情報検索システム。
【請求項５】
検索対象を検索する検索処理部と、前記検索処理部による検索結果を出力する出力処理部と、をさらに備え、
前記出力処理部は、前記検索結果に含まれる複数の検索対象を表示画面において前記第１方向とは異なる第２方向に並べて表示させ、
前記第１表示処理部は、前記複数の検索対象のそれぞれについて、前記複数の第１選択対象を前記第１方向に並べて表示させ、
前記第２表示処理部は、前記複数の検索対象のそれぞれについて、前記複数の第２選択対象を前記第１方向に並べて表示させる、
請求項１〜４のいずれかに記載の情報検索システム。
【請求項６】
利用者から前記複数の第１選択対象及び前記複数の第２選択対象に対する選択操作を受け付ける受付処理部と、
前記利用者により前記複数の第１選択対象のうち所定の第１選択対象が選択された場合に、当該所定の第１選択対象に関連付けられた前記所定の情報を前記第２表示領域に提示し、前記利用者により前記複数の第２選択対象のうち所定の第２選択対象が選択された場合に、当該所定の第２選択対象に関連付けられた前記所定の情報と同一の情報を前記第２表示領域に提示する提示処理部と、
をさらに備える請求項１〜５のいずれかに記載の情報検索システム。
【請求項７】
前記利用者により前記複数の第１選択対象のうち前記所定の第１選択対象が選択された場合又は前記複数の第２選択対象のうち前記所定の第２選択対象が選択された場合に、前記第１表示処理部は、前記複数の第１選択対象の前記第１表示領域への表示を維持し、前記第２表示処理部は、前記複数の第２選択対象を前記第２表示領域から削除し、前記提示処理部は、前記所定の情報を前記第２表示領域に提示する、
請求項６に記載の情報検索システム。
【請求項８】
前記利用者により前記複数の第１選択対象のうち前記所定の第１選択対象が選択された場合又は前記複数の第２選択対象のうち前記所定の第２選択対象が選択された場合に、前記第１表示処理部は、前記第１表示領域において、前記所定の第１選択対象又は前記所定の第２選択対象に対応する第１選択対象の表示態様を変更させる、
請求項６又は７に記載の情報検索システム。
【請求項９】
前記複数の第２選択対象のそれぞれは、前記複数の第１選択対象のうち予め設定された特定選択対象に関連付けられており、
前記第２表示処理部は、利用者により前記特定選択対象が選択された場合に、前記複数の第２選択対象を前記第２表示領域に表示させる、
請求項１〜８のいずれかに記載の情報検索システム。
【請求項１０】
前記第２表示処理部は、前記第２表示領域において、前記複数の第２選択対象のそれぞれに、前記複数の第１選択対象のそれぞれを識別可能な識別情報を表示させる、
請求項１〜９のいずれかに記載の情報検索システム。
【請求項１１】
前記複数の第１選択対象のそれぞれはテキスト情報を含み、前記複数の第２選択対象のそれぞれは前記テキスト情報に対応する画像情報を含む、
請求項１〜１０のいずれかに記載の情報検索システム。
【請求項１２】
それぞれに所定の情報が関連付けられた複数の第１選択対象を第１表示領域に表示させる第１表示ステップと、
それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示ステップと、
を一又は複数のプロセッサにより実行する情報検索方法であって、
前記第１表示ステップにおいて、前記複数の第１選択対象を第１方向に並べて表示させ、
前記第２表示ステップにおいて、前記複数の第２選択対象を前記第１方向に並べて表示させ、
前記複数の第１選択対象を含む前記第１表示領域の前記第１方向の幅が、前記複数の第２選択対象を含む前記第２表示領域の前記第１方向の幅より狭い、情報検索方法。
【請求項１３】
それぞれに所定の情報が関連付けられた複数の第１選択対象を第１表示領域に表示させる第１表示ステップと、
それぞれに、前記複数の第１選択対象に関連付けられた前記所定の情報と同一の情報が関連付けられ、前記複数の第１選択対象のそれぞれに対応する複数の第２選択対象を第２表示領域に表示させる第２表示ステップと、
を一又は複数のプロセッサにより実行させるための情報検索プログラムであって、
前記第１表示ステップにおいては、前記複数の第１選択対象を第１方向に並べて表示させ、
前記第２表示ステップにおいては、前記複数の第２選択対象を前記第１方向に並べて表示させ、
前記複数の第１選択対象を含む前記第１表示領域の前記第１方向の幅が、前記複数の第２選択対象を含む前記第２表示領域の前記第１方向の幅より狭い、情報検索プログラム。